(57)【特許請求の範囲】
【請求項１】
折り畳み可能な可撓のシート状材料により形成した筒状部が単層または複数層で一方向に順次連接された形態に形成され、上記筒状部により形成された中空部が水平方向に向き、該中空部部が上下方向に多重化されたスクリーンの上下端を上枠及び下枠に固定し、該スクリーンを上下方向に展張・折り畳み自在としたスクリーン装置において、
一つのスクリーン設置面に隣接して設ける二つのスクリーンの連接端における一方のスクリーンの端部から前半部に所定長さの切欠を形成し、他方のスクリーンの端部から後半部に同長の切欠を形成し、それらの切欠の形成により残ったスクリーン端部の各延出部を前後に重ねて設置する、
ことを特徴とするスクリーン装置。
【請求項２】
スクリーンの筒状部を前後２層に形成した、
ことを特徴とする請求項１に記載のスクリーン装置。
【請求項３】
上記シート状材料を、外端折り目及び内端折り目に沿って交互に反対方向に一定の幅で折り畳み、その折り畳みによって相互に重ねられたシート状材料面を、折り畳みを行った折り目から上記幅のほぼ３分の２の位置において、上記折り目に平行する接合部に沿って接合し、それを各折り畳み部分において繰り返すことにより、筒状部が２層に形成されたスクリーンとする、
ことを特徴とする請求項２に記載のスクリーン装置。
【請求項４】
一つのスクリーン設置面に隣接して設ける三つ以上のスクリーンの各連接端において、一方側のスクリーンの端部には前半部に切欠を形成し、他方側のスクリーンの端部には後半部に切欠を形成している、
ことを特徴とする請求項１〜３のいずれかに記載のスクリーン装置。
【請求項５】
複数のスクリーンの各一端を共通の上枠に連結すると共に下端を別々の下枠に連結し、隣接する下枠におけるそれぞれの連接端に、スクリーンの切欠の形状に合わせた切欠を形成し、それらの切欠の形成により残った下枠の端部の各延出部を前後に重ねて設置する、
ことを特徴とする請求項１〜４のいずれかに記載のスクリーン装置。
【請求項６】
一つのスクリーン設置面に隣接して設けるスクリーンの連接端における前半部及び後半部に形成する切欠を、隣接するスクリーンの両連接端から、一方の折り目に近い接合部に沿う所定長さの横線及び該横線の先端からそれに直交する方向で他方の折り目に達する縦線に沿う切断により形成した、
ことを特徴とする請求項３に記載のスクリーン装置。
【請求項７】
一つのスクリーン設置面に隣接して設けるスクリーンの連接端における前半部及び後半部に形成する切欠を、スクリーンの厚さのほぼ２分の１とした、
ことを特徴とする請求項１〜５のいずれかに記載のスクリーン装置。
【請求項８】
一つのスクリーン設置面に隣接して設けるスクリーンの連接端における前半部及び後半部に形成する切欠を、前半側及び後半側の中空部を形成する筒状部を残すことにより形成した、
ことを特徴とする請求項２または３に記載のスクリーン装置
【発明の詳細な説明】
【技術分野】
【０００１】
本発明は、建物開口部等における遮光・断熱を行うためのスクリーン装置に関するものであり、更に具体的には、折り畳み可能な可撓のシート状材料により形成した筒状部が単層または複数層で一方向に順次連接された形態に形成され、上記筒状部により形成された中空部が水平方向に向き、該中空部部が上下方向に多重化されたスクリーン（以下、これをハニカムスクリーンという。）を上下方向に展張・折り畳み自在としたスクリーン装置に関するものである。
【背景技術】
【０００２】
ハニカムスクリーンを上下方向に展張・折り畳み自在としたスクリーン装置は、従来から知られている。図１３〜図１６はその一例を示すもので、二つのスクリーン装置１Ａ，１Ｂを一つのスクリーン設置面に隣接して設置する態様を示している。両スクリーン装置１Ａ，１Ｂは実質的に同一の構成を有するもので、ブラケット５を介して建物開口部枠等に固定される上枠２には、それぞれ遮光・断熱用のスクリーン３の上端部が連結され、両スクリーン３の下端部には下枠４が連結されている。
【０００３】
上記スクリーン３はハニカムスクリーンによって構成され、具体的には、折り畳み可能な可撓のシート状材料を、外端折り目１０及び内端折り目１１に沿って交互に反対方向に一定幅で折り畳み、その折り畳みによって相互に重ねられたシート状材料面を、折り畳みを行った折り目１０または１１から上記幅のほぼ３分の２位置において、上記折り目に平行する接合部１２に沿って相互に接合し、それを各折り畳み部分において繰り返すことにより、中空部１４を形成する筒状部１３が前後の２層で上下に多重に形成されたもので、上記中空部１４が水平方向に向くように配設されている。
こうしたスクリーン装置は、例えば、特許文献１によっても知られている。
【０００４】
なお、図示した従来例の上記スクリーン装置においては、操作コード６がコードロック部７に挿通され、操作コード６の一端はスクリーン３の中を挿通して下枠４に連結され、操作コード６の他端は操作つまみ８に連結されている。操作つまみ８を下方へ引くと、下枠４が上方へ持ち上げられてスクリーン３が折り畳まれ、操作つまみ８の移動を停止するとコードロック部７の作用により下枠４はその位置に停止し、そして、戻し把手９を操作すると、コードロックが解除され、下枠４が下方へ移動可能になる。
また、図示したスクリーン装置では、二つの独立のスクリーン装置１Ａ，１Ｂを横に隣接して設けているが、それらのスクリーンの上端部を共通の上枠にそれぞれ連結し、それらの下端部を共通の下枠にそれぞれ連結することもある。
【０００５】
この種のスクリーン装置において、スクリーンの横幅方向の製作限度寸法が建物開口部の横幅寸法に満たない場合には、上記従来例においてもみられるように、二つのスクリーン装置１Ａ，１Ｂが横に隣接して配置され、また、スクリーンの横幅方向の製作限度寸法が、スクリーン装置におけるスクリーン以外の部材や機構上の製作限度寸法に満たない場合には、二つのスクリーンを横に隣接させて一つの上枠及び下枠に取り付けられる。
また、汎用品では、スクリーン３の横幅方向の長さは、若干の調整を可能にすることがあるにしても、建物開口部のいくつかの常用される横幅に合わせて設定され、建物開口部の幅がそれよりも大きい場合には、該開口部のスクリーン設置面に複数のスクリーン３が並設される。
しかしながら、このように複数のスクリーン３を隣接させて配置すると、それらのスクリーン間に隙間ができ、この隙間の存在により光を完全に遮断できず、断熱効果も低くなり、また、目隠しとして使用する場合には、該隙間により視界を完全に遮ることができないという問題点がある。
【特許文献１】特開平３−１２５７８１号公報
【発明の開示】
【発明が解決しようとする課題】
【０００６】
本発明は、建物開口部等に設置するスクリーン装置において、一つのスクリーン設置面に複数のスクリーンを隣接して配置するときに、それらの間に隙間ができないようにすることを課題とする。
【課題を解決するための手段】
【０００７】
前記課題を解決するため、本発明は、折り畳み可能な可撓のシート状材料により形成した筒状部が単層または複数層で一方向に順次連接された形態に形成され、上記筒状部により形成された中空部が水平方向に向き、該中空部が上下方向に多重化されたスクリーンの上下端を上枠及び下枠に固定し、該スクリーンを上下方向に展張・折り畳み自在としたスクリーン装置において、一つのスクリーン設置面に隣接して設ける二つのスクリーンの連接端における一方のスクリーンの端部から前半部に所定長さの切欠を形成し、他方のスクリーンの端部から後半部に同長の切欠を形成し、それらの切欠の形成により残ったスクリーン端部の各延出部を前後に重ねて設置することを特徴とするものである。
【０００８】
上記スクリーン装置の好ましい実施形態においては、スクリーンの筒状部が前後２層に形成され、具体的には、上記シート状材料を、外端折り目及び内端折り目に沿って交互に反対方向に一定の幅で折り畳み、その折り畳みによって相互に重ねられたシート状材料面を、折り畳みを行った折り目から上記幅のほぼ３分の２の位置において、上記折り目に平行する接合部に沿って接合し、それを各折り畳み部分において繰り返すことにより、筒状部が２層に形成されたスクリーンとして構成される。
【０００９】
上記本発明のスクリーン装置は、一つのスクリーン設置面に隣接して設ける三つ以上のスクリーンの各連接端において、一方側のスクリーンの端部に前半部に切欠を形成し、他方側のスクリーンの端部に後半部に切欠を形成したものとして構成することもできる。
また、本発明のスクリーン装置は、複数のスクリーンの各一端を共通の上枠に連結すると共に下端を別々の下枠に連結し、隣接する下枠におけるそれぞれの連接端に、スクリーンの切欠の形状に合わせた切欠を形成し、それらの切欠の形成により残った下枠の端部の各延出部を前後に重ねて設置することもできる。
【００１０】
本発明のスクリーン装置においては、一つのスクリーン設置面に隣接して設けるスクリーンの連接端における前半部及び後半部に切欠を形成するが、該切欠は、隣接するスクリーンの両連接端から、一方の折り目に近い接合部に沿う所定長さの横線及び該横線の先端からそれに直交する方向で他方の折り目に達する縦線に沿う切断により形成し、あるいはスクリーンの厚さのほぼ２分の１とし、更には、前半側及び後半側の中空部を形成する筒状部を残すことにより形成することができる。
【発明の効果】
【００１１】
本発明によれば、隣接する二つのスクリーンについて、端部の切欠の形成により残った残部を前後に重ねるようにしたので、スクリーンを横に隣接して配置したときに、それらの間に隙間が生じない。
【発明を実施するための最良の形態】
【００１２】
図１〜図６は、本発明に係るスクリーン装置の第１実施例を示している。以下の実施例の説明において、前記従来例と同一の部材には該従来例と同一の符号を付している。
上記第１実施例のスクリーン装置１は、複数のスクリーン３ａ，３ｂを共通の上枠２及び下枠４に連結している。隣接する二つのスクリーン３ａ，３ｂは、ハニカムスクリーンからなり、具体的には、折り畳み可能な可撓のシート状材料を、外端折り目１０及び内端折り目１１に沿って交互に反対方向に一定の幅で折り畳み、その折り畳みによって相互に重ねられたシート状材料面を、折り畳みを行った折り目１０または１１から上記幅のほぼ３分の２の位置において、上記折り目１０，１１に平行する接合部１２に沿って接合し、それを各折り畳み部分において繰り返すことにより、筒状部１３が表裏２層に形成されている。そして、上記筒状部１３によって形成された中空部１４を水平方向に向け、該中空部部１４が上下方向に多重化されるように配設して、それらの上下端を上枠２及び下枠４に固定し、該スクリーンを上下方向に展張・折り畳み自在に形成している。
上記スクリーンは、上述した構成に限らず、シート状材料により形成した筒状部１３が単層または複数層で一方向に順次連接された各種形態に形成することができる。
【００１３】
上記スクリーンは、一つのスクリーン設置面に隣接して設けるためのもので、図４〜図６に示すように、二つのスクリーン３ａ，３ｂの連接端における一方のスクリーン３ａの端部から前半部に所定長さの切欠を形成し、他方のスクリーン３ｂの端部か後半部に同長の切欠を形成し、それらの切欠の形成により残ったスクリーン端部の各延出部１８ａ，１８ｂを前後に重ねて設置するようにしている。
【００１４】
更に具体的には、上記スクリーン３ａは、図４に示すように、上面視でその一方の連接端から、一方の折り目１０に近い接合部１２に沿う所定長さの横線１６ａ及び該横線の先端からそれに直交する方向で他方の折り目１１に達する縦線１７ａに沿う切断により切欠が形成され、この切欠によりスクリーン３ａの一端前半部が欠損し、切欠の後半部には延出部１８ａが存在している。
同様に、スクリーン３ｂは、上面視で上記スクリーン３ａとの連接端から、一方の折り目１１に近い接合部１２に沿う所定長さの横線１６ｂ及び該横線の先端からそれに直交する方向で他方の折り目１０に達する縦線１７ｂに沿う切断により切欠が形成され、この切欠によりスクリーン３ｂの一端後半部が欠損し、切欠の前半部に延出部１８ｂが存在している。そして、スクリーン３ａまたは３ｂを上下動させた時に、それらが互いに接触しないように、両スクリーンの間に隙間が形成されている。
【００１５】
上記延出部１８ａ，１８ｂの形成は上記位置での切断に限るものではなく、例えば、図７に示すように、上記横線１６ａ，１６ｂがスクリーンの厚さのほぼ２分の１の位置にあるようにすることができる。この位置での切断は、例えば、スクリーンの筒状部１１が３層である場合などにも有利である。また、図８に示すように、前半側及び後半側の中空部１４を形成する筒状部１３だけを残すことにより形成することもできる。
【００１６】
上記スクリーン装置においては、前記従来例と同様に、操作コード６がコードロック部７に挿通され、操作コード６の一端はスクリーン３の中を挿通して下枠４に連結され、操作コード６の他端は操作つまみ８に連結されている。操作つまみ８を下方へ引くと、下枠４が上方へ持ち上げられてスクリーン３が折り畳まれ、操作つまみ８の移動を停止するとコードロック部７の作用により下枠４はその位置に停止し、そして、戻し把手９を操作すると、コードロックが解除され、下枠４が下方へ移動可能になる。
なお、ここでは二つのスクリーンを連接して設ける場合について説明したが、三つ以上のスクリーンを連接して設けることもでき、その場合には中間に位置するスクリーンの両連接端に上記切欠による延出部１８ａ，１８ｂを設けることになる。以下の実施例についても同様である。
【００１７】
図９及び図１０は、本発明のスクリーン装置の第２実施例を示している。この第２実施例では、スクリーン３ａ，３ｂの構成は第１実施例と同一であり、複数のスクリーンの各一端を共通の上枠２に連結しているが、複数のスクリーン３ａ，３ｂのそれぞれに相互に隣接する別々の下枠４ａ，４ｂを連結している。そして、これらの下枠４ａ，４ｂにおけるそれぞれの連接端に、スクリーンの切欠形状に合わせた切欠を形成し、それらの切欠の形成により残った下枠４ａ，４ｂの端部の各延出部２２ａ，２２ｂを前後に重ねて設置するようにしている。なお、上記各延出部２２ａ，２２ｂは、下枠４ａ，４ｂの本体の接合端側に嵌着した合成樹脂製のキャップにより形成している。
【００１８】
この第２実施例のスクリーン装置では、二つのスクリーン３ａ，３ｂをそれぞれ操作つまみ８及び戻し把手９で開閉操作することができるものであるが、両スクリーン３ａ，３ｂを展張した場合には、スクリーン３ａ，３ｂの連接部と同様に、一対の下枠４ａ，４ｂの端部の各延出部２２ａ，２２ｂにより、該下枠４ａ，４ｂ間にも隙間が生じることはない。
なお、第２実施例のその他の構成は、両スクリーン３ａ，３ｂを個別的に開閉できるようにした点を除いて、第１実施例と変わるところがないので、同一の符号を付してそれらの説明は省略する。
【００１９】
図１１は、本発明のスクリーン装置の第３実施例を示している。この第３実施例では、スクリーン３ａ，３ｂの構成は第１及び第２実施例と同一であるが、複数のスクリーン３ａ，３ｂの各上下端を相互に隣接する別々の上枠２ａ，２ｂ及び下枠４ａ，４ｂに連結している。そして、隣接する上枠２ａ，２ｂ及び下枠４ａ，４ｂのそれぞれの連接端に、スクリーン３ａ，３ｂの切欠形状に合わせた切欠を形成し、各切欠の形成により残った上枠２ａ，２ｂの延出部２１ａ，２１ｂ及び下枠４ａ，４ｂの延出部２２ａ，２２ｂを所定の隙間を介して前後に重ねるようにしている。延出部２１ａ，２１ｂの構造は、図１０に示したものと実質的に同一である。
なお、この第３実施例における下枠４ａ，４ｂの構成、及び両スクリーン３ａ，３ｂを個別的に開閉できるようにした点は、第２実施例と変わるところがない。また、上記上枠２ａ，２ｂの延出部２１ａ，２１ｂも、上枠２ａ，２ｂの本体の接合端側に嵌着した合成樹脂製のキャップにより形成している。
【００２０】
図１２は、本発明のスクリーン装置の第４実施例を示している。この第４実施例は、第１〜３実施例のスクリーン３ａ，３ｂを開閉させる機構に代えて、上枠２ａ，２ｂの外端部にそれぞれプーリーボックス２４が配設され、該プーリーボックス２４内のプーリーにリング状になった操作紐２５を巻き掛け、該操作紐２５の一方を引っ張ることにより下枠４ａ，４ｂが上方へ移動し、該操作紐２５の他方を引っ張ることにより下枠４ａ，４ｂが下方へ移動するようにしている。
なお、スクリーン３ａ，３ｂを開閉するための機構としては、上述した各実施例の構成に限ることなく、各種スクリーンやブラインドなどに従来から適用されている任意手段を用いることができる。
【図面の簡単な説明】
【００２１】
【図１】本発明のスクリーン装置の第１実施例を示す正面図である。
【図２】上記第１実施例の左側断面図である。
【図３】上記第１実施例の下枠の平面図である。
【図４】上記第１実施例におけるスクリーンの構成を概念的に示す模式図である。
【図５】上記第１実施例の要部斜視図である。
【図６】上記第１実施例におけるスクリーンの切欠部分の詳細を示す部分斜視図である。
【図７】上記スクリーンの切欠部分の変形例を示す部分斜視図である。
【図８】上記スクリーンの切欠部分の他の変形例を示す部分斜視図である。
【図９】本発明のスクリーン装置の第２実施例を示す正面図である。
【図１０】同下枠の平面図である。
【図１１】本発明のスクリーン装置の第３実施例を示す正面図である。
【図１２】本発明のスクリーン装置の第４実施例を示す側断面図である。
【図１３】従来から知られているスクリーン装置の正面図である。
【図１４】同左側断面図である。
【図１５】同下枠の平面図である。
【図１６】同要部斜視図である。
【符号の説明】
【００２２】
１    スクリーン装置
２，２ａ，２ｂ    上枠
３ａ，３ｂ    スクリーン
４，４ａ，４ｂ    下枠
１０    外端折り目
１１    内端折り目
１３    筒状部
１４    中空部
１８ａ，１８ｂ    延出部
【図１】
0004675789.tif 000002
【図２】
0004675789.tif 000003
【図３】
0004675789.tif 000004
【図４】
0004675789.tif 000005
【図５】
0004675789.tif 000006
【図６】
0004675789.tif 000007
【図７】
0004675789.tif 000008
【図８】
0004675789.tif 000009
【図９】
0004675789.tif 000010
【図１０】
0004675789.tif 000011
【図１１】
0004675789.tif 000012
【図１２】
0004675789.tif 000013
【図１３】
0004675789.tif 000014
【図１４】
0004675789.tif 000015
【図１５】
0004675789.tif 000016
【図１６】
0004675789.tif 000017